(57)【要約】      （修正有）【課題】スライダー本体内に形成されるＹ字状の案内路に制約されることなく、新たな意匠性の付与を可能とする紐ファスナー用スライダーを提供する。【解決手段】紐ファスナーの左右のエレメント列を案内するＹ字状の案内路５５が内部に形成されたスライダー本体５を備える紐ファスナー用スライダー４において、上下に離隔する状態で対向する上翼板５１及び下翼板５２と、上翼板５１と下翼板５２とを互いの左右方向の内側において上下に接合する案内柱５３と、上翼板５１と下翼板５２とを案内路５５の左右方向両外側において上下に接合する左右のフランジ５４とを備え、各フランジ５４は左右の幅に関して広い部分と狭い部分とを備えていることを特徴とする。【選択図】図１
0003183577.tif 000002
【実用新案登録請求の範囲】
【請求項１】
紐ファスナー（１）の左右のエレメント列（２Ａ）を案内するＹ字状の案内路（５５）が内部に形成されたスライダー本体（５）を備える紐ファスナー用スライダー（４)において、
上下に離隔する状態で対向する上翼板（５１）及び下翼板（５２）と、前記上翼板（５１）と前記下翼板（５２）とを互いの左右の幅の内側において上下に接合する案内柱（５３）と、前記上翼板（５１）と前記下翼板（５２）とを前記案内路（５５）の左右両外側において上下に接合する左右のフランジ（５４）とを備え、
前記各フランジ（５４）は左右の幅に関して広い部分と狭い部分とを備えていることを特徴とする紐ファスナー用スライダー。
【請求項２】
左右の前記フランジ（５４）は、前記案内路（５５）の左右両外側において前記案内路（５５）の全長に亘って連続していることを特徴とする請求項１に記載の紐ファスナー用スライダー。
【請求項３】
前記各フランジ（５４）の左右の幅は、左右の前記エレメント列（２Ａ、２Ａ）のうち対応する方における左右の幅以上であることを特徴とする請求項１又は２に記載の紐ファスナー用スライダー。
【請求項４】
左右の前記フランジ（５４）は、前記案内路（５５）を中心にして左右非対称形状であることを特徴とする請求項１〜３の何れかに記載の紐ファスナー用スライダー。
【請求項５】
前記スライダー本体（５）と、前記スライダー本体（５）に対して着脱可能に連結する装飾体（６）とを備えることを特徴とする請求項１〜４の何れかに記載の紐ファスナー用スライダー。
【請求項６】
前記装飾体（６）は、前記スライダー本体（５）に連結した状態で前記上翼板（５１）よりも左右に突出することを特徴とする請求項５記載の紐ファスナー用スライダー。
【考案の詳細な説明】
【技術分野】
【０００１】
本考案は、可撓性を有する芯紐に所定のピッチでエレメントが固定されている左右のエレメント列を開閉する紐ファスナー用スライダーに関する。
【背景技術】
【０００２】
従来の紐ファスナー用スライダーでは、形状・模様・色彩・又はこれらの結合からなる意匠を向上させる対象に引手を用いることが一般的に行われている。例えば従来の紐ファスナー用スライダーの一例として、スライダーの上に引手係止部が固定されており、星模様が付された装飾引手を引手係止部に対して回動自在に取り付けてあるものが存在する（特許文献１）。因みにこの背景技術の欄では、スライダーと引手係止部とを合わせた複数の構成要素ものに限らず、スライダーを単独の構成要素とするものを総称して以後、スライダー本体と言う。
【０００３】
また特許文献１に図面として開示されているスライダー本体は、上下に間隔をあけて対向する上翼板及び下翼板と、上翼板と下翼板の左右方向外側縁部から上下翼板の上下間隔を狭める方向に突出するフランジとを備えるものである。また図示していないが、上下翼板の間であって左右方向中央部には案内柱が介在しており、この案内柱がスライダー本体内の空間をＹ字状の案内路に分岐させ、左右のエレメント列のエレメント同士を噛み合わせ可能、分離可能とする。
【先行技術文献】
【特許文献】
【０００４】
【特許文献１】特開平２−１５９２２１号公報
【考案の概要】
【考案が解決しようとする課題】
【０００５】
ところで前記した従来の紐ファスナー用スライダーにおいては、上下翼板は、案内柱が存在する範囲すなわち左右の幅中央部のみで接合されている。つまり上下翼板は、左右の幅外側縁部（フランジが存在する範囲）では接合されておらず、上下のフランジ間には隙間が形成されている。
【０００６】
そうするとスライダー本体（上下翼板）の左右の幅外側縁部に外力が加わると、その外力は上下翼板と案内柱とを接合する箇所に集中し、場合によっては案内柱が変形したり、破壊したりするおそれもある。このような外力に対する機械的強度を確保するためには、上下翼板の左右の幅は、広く（長く）することはできず、言い換えればできるだけ狭い（短い）方が望ましい。それ故、上下翼板（スライダー本体）の形状は、スライダー本体内に形成される内路の形状（Ｙ字状）に制約され、案内路の左右外側をフランジで区画できる程度の形状に設計することが、一般的に行われている。より詳しく言えば各フランジの左右の横幅は案内路のＹ字の左右外形に沿うような均一な幅として設計されている。したがって既存のスライダー本体の外形はどれも均一化された外形となっており、スライダー本体の意匠を新たなものとすることが難しいものとなっている。
【０００７】
本考案は、上記実情を考慮して創作されたもので、その目的はスライダー本体の意匠を新たなものとすることである。
【課題を解決するための手段】
【０００８】
本考案は、紐ファスナーの左右のエレメント列を案内するＹ字状の案内路が内部に形成されたスライダー本体を備える紐ファスナー用スライダーを前提とする。そして上下に離隔する状態で対向する上翼板及び下翼板と、上翼板と下翼板とを互いの左右の幅の内側において上下に接合する案内柱と、上翼板と下翼板とを案内路の左右両外側において上下に接合する左右のフランジとを備え、各フランジは左右の幅に関して広い部分と狭い部分とを備えていることを特徴とする。
【０００９】
また左右のフランジは、案内路の左右両外側において案内路の全長のうち一部にのみ存在しても良いが、スライダーの左右縁部における機械的強度を向上させるには次のようにしても良い。
すなわち左右のフランジは、案内路の左右両外側において案内路の全長に亘って連続していることである。
【００１０】
さらに各フランジの左右の幅は問わないが、スライダー本体に新たな意匠性を付与するには次のようにしても良い。
すなわち各フランジの左右の幅は、左右のエレメント列のうち対応する方における左右の幅以上であることである。
【００１１】
またスライダー本体に新たな意匠性を付与するには、次のようにしても良い。
すなわち左右のフランジは、案内路を中心にして左右非対称形状とすることである。
【００１２】
さらにスライダーは、少なくともスライダー本体を有していれば良い。したがってスライダーは、スライダー本体を単独の構成要素として有するものであっても良い。ただしスライダー本体を単独の構成要素として構成される場合のスライダーよりも、スライダーに新たな意匠性を付与するには次のようにしても良い。
すなわちスライダーは、スライダー本体と、スライダー本体に対して着脱可能に連結する装飾体とを備えることである。
【００１３】
さらにスライダーに新たな意匠性を付与するには、次のようにしても良い。
すなわち装飾体は、スライダー本体に連結した状態で上翼板よりも左右に突出することである。
【考案の効果】
【００１４】
本考案によれば、上下に離隔する上下翼板を案内路の左右両外側においてフランジで上下に接合してあるので、左右側部において上下翼板の隙間がない新たな意匠性をスライダー本体に与えられることは勿論、従来のようなもの即ち上下翼板の左右の幅の両側縁部をフランジで接合してないものに比べて、スライダー本体の機械的強度が向上する。従ってスライダー本体の左右の幅を従来のものよりも広げることも可能となり、それを利用して左右の幅の広い部分と狭い部分を各フランジに設けてあるので、新たな意匠性をスライダー本体に与えることができる。
【００１５】
また案内路の左右両外側において左右のフランジを案内路の全長に亘って連続させているスライダーであれば、スライダーの左右縁部における機械的強度がより向上するので、スライダー本体の左右の幅をより広げ、新たな意匠性をスライダー本体に付与することも可能となる。
【００１６】
さらに各フランジの左右の幅を、左右のエレメント列のうち対応する方における左右の幅以上とするスライダーであれば、従来に比べてスライダー本体の左右の幅が広がり、新たな意匠性をスライダー本体に付与することができる。
【００１７】
また案内路を中心にして左右のフランジが左右非対称形状であれば、新たな意匠性をスライダー本体に付与することができる。
【００１８】
またスライダー本体に対して装飾体を着脱可能に連結してあるスライダーであれば、スライダー本体の意匠と装飾体の意匠とを兼備したものがスライダーの意匠となり、スライダーに新たな意匠性を付与することができる。
【００１９】
さらにスライダー本体に連結した状態で上翼板よりも左右に突出する装飾体を備えるスライダーであれば、スライダー本体よりも左右の幅の広い装飾体によってスライダーに新たな意匠性を付与することができる。しかも装飾体を用いてスライダーを操作することができることから操作性も向上する。
【図面の簡単な説明】
【００２０】
【図１】（ａ）〜（ｅ）図は、本考案の第１実施形態の紐ファスナー用スライダーを示す斜視図、正面図、左側面図、ｄ−ｄ線切断部断面図、ｅ−ｅ線切断部断面図である。
【図２】（ａ）、（ｂ）図は、第１実施形態の紐ファスナーを適用した紐ファスナー示す正面図、正面側から視た要部断面図である。
【図３】（ａ）〜（ｃ）図は、本考案の第２実施形態の紐ファスナー用スライダーを示す斜視図、正面図、正面側から視た断面図である。
【図４】（ａ）、（ｂ）図は、本考案の第３実施形態の紐ファスナーを適用した紐ファスナーを示す正面図、正面側から視た要部断面図である。
【図５】（ａ）、（ｂ）図は、本考案の第４実施形態の紐ファスナー用スライダーにおけるスライダー本体を示す斜視図、正面側から視た断面図である。
【図６】（ａ）、（ｂ）図は、本考案の第４実施形態の紐ファスナー用スライダーにおける装飾体を示す正面図、裏面側から視た斜視図である。
【図７】（ａ）、（ｂ）図は、本考案の第４実施形態の紐ファスナー用スライダーを示す斜視図、平面図である。
【図８】（ａ）、（ｂ）図は、本考案の第５実施形態の紐ファスナー用スライダーにおけるスライダー本体を示す斜視図、正面側から視た断面図である。
【図９】（ａ）〜（ｃ）図は、本考案の第５実施形態の紐ファスナー用スライダーにおける装飾体を示す裏面側から視た斜視図、平面図、左側面側から視た断面図である。
【図１０】（ａ）、（ｂ）図は、本考案の第６実施形態の紐ファスナー用スライダーを示す正面図、左側面側から視た断面図である。
【図１１】（ａ）、（ｂ）図は、本考案の第６実施形態の紐ファスナー用スライダーにおけるスライダー本体を示す斜視図、断面図である。
【図１２】本考案の第６実施形態の紐ファスナー用スライダーを示す正面図である。
【図１３】（ａ）、（ｂ）図は、引手をスライダー本体に取り付ける前の状態、及び取り付けた状態を示す断面図である。
【考案を実施するための形態】
【００２１】
本考案の第１実施形態の紐ファスナー用スライダー４を適用した一例としての紐ファスナー１が、図２に示されている。紐ファスナー１は、１本のファスナーチェーン２と、ファスナーチェーン２の対向する２列のエレメント列２Ａを開閉するための第１実施形態のスライダー４と、スライダー４の抜け止め用の止具３とを備えるものである。以後、２列のエレメント列２Ａの対向する方向を左右方向、エレメント列２Ａの長手方向を前後方向、これら左右方向と前後方向に直交する方向を上下方向として説明する。
【００２２】
ファスナーチェーン２は、エレメント２２と、可撓性を有する芯紐２１とを有し、芯紐２１に一定のピッチで多数のエレメント２２を固定してある。そして、一定のピッチで配列されたエレメント２２により、一列状となったエレメント列２Ａが形成され、この一列状のエレメント列２Ａは、芯紐２１をその長手方向中間部においてループ状に屈曲させることによって、その長手方向全長のほぼ半分において対向する２列のエレメント列２Ａとなる。
【００２３】
エレメント２２は、前後方向に延びる芯紐２１に取り付ける固定部２２ａと、固定部２２ａから側方へ突出する噛合頭部２２ｂとを備えている。噛合頭部２２ｂは、固定部２２ａ側が前後にくびれ、先部側が前後に膨大した形状となっている。因みに、図示の例では、固定部２２ａの内部を芯紐２１が貫通する状態で、固定部２２ａが芯紐２１に取り付けられている。
【００２４】
止具３は、キャップ状であって、噛合わせた２列のエレメント列２Ａ、２Ａとなったファスナーチェーン２の両端部をキャップ状の内部にまとめて嵌めることによって、ファスナーチェーン２に固定される。なお、止具３やエレメント２２は、合成樹脂、金属の何れで成形されていても良い。
【００２５】
第１実施形態のスライダー４は、図１、図２に示すように、２列のエレメント列２Ａ、２Ａを開閉するスライダー本体５を単独の構成要素として構成される。スライダー本体５は、上下に離隔する状態で対向して配置される上翼板５１及び下翼板５２と、上下翼板５１、５２を互いの左右の幅中央部の前部において接合する案内柱５３と、上下翼板５１、５２を互いの左右の幅外側部で前後方向全長に亘って接合する左右のフランジ５４、５４とを備えている。
【００２６】
上下翼板５１、５２の間に形成される内部空間は、その前部を案内柱５３によって左右に仕切られると共に、その左右外側を左右のフランジ５４、５４よって外部とは左右に仕切られることによって、Ｙ字状の案内路５５となっている。従って案内路５５は前後方向にのみ開口するものとなっている。またスライダー本体５を前後に移動させることにより、案内路５５内で左右のエレメント２２、２２同士が噛合い、又は分離する。
【００２７】
そしてスライダー本体５は、上下翼板５１，５２の形状が矩形状であることから、矩形状の箱型形状を有するものとなっている。そのうえＹ字状の案内路５５に対してその上下に配置される上下翼板５１、５２を左右対称的に左右方向に突出する形状としてあるので、上下翼板５１、５２の間に挟まれる左右のフランジ５４、５４は左右対称形状となっている。また案内路５５に対して上下翼板５１、５２の形状を案内路５５の左右の外形に沿わない形状、すなわち図示の例では矩形状としてあるため、左右のフランジ５４、５４はその左右の幅（ここでは肉厚）が前後方向において不均一となっており、左右の幅に関して相対的に広い部分（肉厚の厚い部分）と狭い部分（肉厚の薄い部分）とを有するものとなっている。なお各フランジ５４の前後端部は面取りされて丸くなっているが、このような面取りされた部分は、各フランジ５４の左右の幅に関して狭い部分に相当しないものとする。ちなみに上下翼板５１、５２を案内路５５の左右の外形に沿う形状にすると、各フランジ５４は左右の幅に関して均一となってしまう。
【００２８】
上記した第１実施形態のスライダー４はスライダー本体５を単独の構成要素として構成されるので、スライダー本体５の形状はスライダー４の意匠の骨格を形成するものとなる。そして左右のフランジ５４、５４が上下翼板５１、５２を接合することから、スライダー本体５の機械的強度が向上する。
【００２９】
本考案の第２実施形態のスライダー４は図３に示すように、第１実施形態と同様に、スライダー本体５を単独の構成要素として構成される。但しここでのスライダー本体５は、上下翼板５１、５２及び左右のフランジ５４、５４の形状が、第１実施形態での上下翼板５１、５２及び左右のフランジ５４、５４とは大きく相違する。上下翼板５１、５２及び左右のフランジ５４、５４は、案内路５５に対して左右方向及び前後方向に大きく張り出した形状となっており、スライダー本体５の全体形状が左右対称的なリボン結び形状（リボンの結び目と、結び目から延長するリボンの両端部を含む形状）となっている。因みに上下翼板５１、５２が案内路５５に対して左右に張り出す幅、及び各フランジ５４、５４の左右の幅は、左右のエレメント列２Ａのうち対応する方の左右の幅以上、より詳しくは噛み合っている二本のエレメント列２Ａ、２Ａの左右の幅以上となっている。また各フランジ５４の左右の幅に関して相対的に広い部分と狭い部分を有していることは第１実施形態のそれらと共通している。
【００３０】
このように案内路５５に対して上下翼板５１、５２及び左右のフランジ５４、５４を前後左右方向に張り出した大きなものとすることによって、スライダー本体５を掴む部分が大きくなり、スライダー本体５を操作し易くなる。
【００３１】
本考案の第３実施形態のスライダー４は図４に示すように、第１実施形態と同様に、スライダー本体５を単独の構成要素として構成される。但しここでのスライダー本体５は、上下翼板５１、５２及び左右のフランジ５４、５４の形状が、第１実施形態での上下翼板５１、５２及び左右のフランジ５４、５４と大きく相違する。上下翼板５１、５２は、ハート形状となっている。しかも、ハート形状の窪み部５１ａと、その反対側のＶ字状の先鋭部５１ｂとが前後方向（２列のエレメント列２Ａ、２Ａの長手方向）に対して左右に傾くように、案内路５５がスライダー本体５に形成されている。従って上下翼板５１、５２及び左右のフランジ５４、５４は、左右非対称形状となる。ちなみに各フランジ５４が左右の幅に関して相対的に広い部分と狭い部分を有していることは第１実施形態のそれと共通している。
【００３２】
本考案の第４実施形態のスライダー４は図５〜図７に示すように、スライダー本体５と、スライダー本体５に着脱可能に連結する装飾体６との複数の構成要素から構成される。
【００３３】
スライダー本体５は基本的構成態様として、第１実施形態と同様の矩形状の箱型形状をしている。いっぽう装飾体６は、その装飾体本体部６１としてリボン結び形状をしており、リボン結び形状の結び目部がスライダー本体５と同等の形状となっている。
【００３４】
そしてスライダー本体５と装飾体６には、両者を着脱可能に連結するための連結部７が設けられている。連結部７は、スナップ式により嵌合及び嵌合解除可能な連結凹部７１と連結凸部７２とから構成され、連結凹部７１と連結凸部７２はスライダー本体５と装飾体６に分けて設けられる。図示の例では、スライダー本体５に連結凹部７１が、装飾体６に連結凸部７２が設けられている。
【００３５】
より詳しく言えば、スライダー本体５は、その左右側面（左右のフランジ５４、５４の左右両外側面）であって前後方向の中間部に、係止凹部７１ａを段差状に窪ませて設けてある。このため各フランジ５４の左右の幅に関して相対的に広い部分と狭い部分を有していることは第１実施形態のそれらと共通している。言い換えればスライダー本体５の左右の各側面は、その矩形状である周縁部を左右方向に突出したストッパー部７１ｂとしてあり、各ストッパー部７１ｂの内側に係止凹部７１ａが形成される。従って係止凹部７１ａがスライダー本体５の左右にそれぞれ設けられており、これら２つの係止凹部７１ａ、７１ａによって連結凹部７１が形成される。
【００３６】
いっぽう装飾体６は装飾体本体部６１の裏面側に連結凸部７２を備えている。連結凸部７２は、装飾体本体部６１の裏面であってリボンの結び目部の左右方向外側から各フランジ５４、５４の左右外側面に沿って突出する左右の腕部７２ａ、７２ａと、左右の腕部７２ａ、７２ａの先部から左右方向内側に向かって突出する左右の係止凸部７２ｂ、７２ｂとから構成される。従って左右の係止凸部７２ｂ、７２ｂの先部は、左右方向内側に対向する状態となっている。このように連結凸部７２は、２つの係止凸部７２ｂ、７２ｂと、これら係止凸部７２ｂ、７２ｂを装飾体本体部６１に接合するための２つの腕部７２ａ、７２ａとから構成されている。
【００３７】
またスライダー本体５は、上翼板５１の上面と左右のフランジ５４、５４の左右側面とが連続する部分に、前後方向の中間部を丸く膨らむように面取りした面取部７１ｃを備えており、この面取部７１ｃは、装飾体６の連結凸部７２（一対の係止凸部７２ｂ、７２ｂ）を連結凹部７１（一対の係止凹部７１ａ、７１ａ）へ案内し易くしてある。
【００３８】
前記した第４実施形態のスライダー４は、次のようにしてスライダー本体５と装飾体６とを着脱する。まず、使用者がスライダー本体５の上翼板５１側から左右の面取部７１ｃ、７１ｃに左右の係止凸部７２ｂ、７２ｂを合わせ、装飾体６をスライダー本体５へ向かって押し込むと、左右の腕部７２ａ、７２ａが自身の弾性を利用してその先部同士の間隔を広げながら係止凸部７２ｂが面取部７１ｃの表面を滑っていき、最終的には係止凸部７２ｂが係止凹部７１ａに嵌合する。このようにして装飾体６をスライダー本体５に連結すると、係止凸部７２ｂ（連結凸部７２）が装飾体６の左右の幅の中間部に位置することから、装飾体６はスライダー本体５よりも左右に突出した状態となる。しかも係止凸部７２ｂと係止凹部７１ａとの嵌合によって、スライダー本体５と装飾体６とは位置決めされた状態となる。また使用者がスライダー本体５を押さえながら、装飾体６をスライダー本体５から離れるように上方へ引張ると、係止凸部７２ｂが係止凹部７１ａから脱出する。このような要領で装飾体６とスライダー本体５は着脱可能な関係にある。
【００３９】
本考案の第５実施形態のスライダー４は図８、図９に示すように、第４実施形態と同様に、スライダー本体５と、装飾体６との複数の構成要素から構成され、連結部７を第４実施形態のスライダー４に用いられた連結部７と相違させている。
【００４０】
ここでの連結部７は、スライダー本体４を上下方向及び左右方向から包囲するような状態で（上下翼板５１、５２と左右のフランジ５４、５４とを囲む状態で）設けられる環状の連結凹部７１と、この連結凹部７１の外周を全周に亘って取り囲む矩形状の連結凸部７２とから構成される。
【００４１】
より詳しくは連結凹部７１は、上下翼板５１、５２と左右のフランジ５４、５４の前端部及び後端部において、これらの表面四面に亘って突出する環状のストッパー部７１ｂを備え、前後のストッパー部７１ｂ、７１ｂ、並びに上下翼板５１、５２と左右のフランジ５４、５４との表面四面によってスライダー本体５の全周を囲む係止凹部７１ａが形成される。したがって各フランジ５４の左右の幅に関して相対的に広い部分と狭い部分を有していることは第１実施形態のそれらと共通している。
【００４２】
連結凸部７２は、装飾体６の裏面において、係止凹部７１ａに嵌合する矩形状の係止凸部７２ｂを、前後方向に貫通する状態で形成したものである。つまりこの実施形態においては連結凸部７２は係止凸部７２ｂのみにより構成されている。この連結凸部を含む装飾体６は、例えば原料として合成ゴム、シリコン等のエラストマーによって形成され、連結凸部７２に弾性を付与したものとすることが望ましい。このような弾性を有する合成樹脂で連結凸部７２を含む装飾体６を成形したものであれば、連結凹部７１を含むスライダー本体５が硬質樹脂で成形されたものであっても、連結凸部７２を連結凹部７１に着脱し易くなる。
【００４３】
なお第５実施形態のスライダー４も、スライダー本体５と装飾体６とを連結凹部７１と連結凸部７２との嵌合によって連結すると、スライダー本体５と装飾体６とが位置決めされた状態となる。
【００４４】
本考案の第６実施形態のスライダー４は図１０に示すように、第４実施形態と同様に、スライダー本体５と装飾体６との複数の構成要素から構成され、スライダー本体５を第５実施形態のそれと同様の形状とし、装飾体６の装飾体本体部６１を、第５実施形態のスライダー４に用いられた装飾体本体部６１と相違させている。
【００４５】
ここでの装飾体本体部６１は、左右の幅が前後の幅よりも広い矩形状であって、前後の幅をスライダー本体５の前後の幅とほぼ同じ寸法とした上で、左右の幅をスライダー本体５よりも左右に長い寸法としてある。また装飾体本体部６１の上面には、模様、文字を組み合わせて付したもので、矩形の周縁部を取り囲む第１の模様６１ａと、第１の模様６１ａよりも内側に間隔をあけて配置される矩形状の第２の模様６１ｂと、第２の模６１ｂの内側に配置されるロゴという表記の文字６１ｃとを突出して形成してある。
【００４６】
本考案の第７実施形態のスライダー４は、図１１〜図１３に示すように、スライダー本体５と、スライダー本体５に対して回動自在に連結する引手８との複数の構成要素から構成され、引手８が装飾機能を備えている。以下に詳しく説明する。
【００４７】
各フランジ５４は、左右の内側面についてはＹ字状をなす案内路５５の左右の外形に沿う屈曲形状となっており、左右の外側面については後方から前方へ向かって斜め直線状になると共に左右の幅が後方から前方へ向かって徐々に広がるようになっている。したがって各フランジ５４は、左右の幅に関して相対的に広い部分と狭い部分を有していることは第１実施形態のそれらと共通している。
【００４８】
引手８は、指で摘まむための引手本体８１と、スライダー本体５に連結するための環状部８２とを備え、環状部８２を引手本体８１に連続するものとしている。図示の例では、引手本体は一枚の葉を模した模様及び形状であり、スライダー本体５の左右及び前後の各幅よりも長く形成してある。
【００４９】
また、環状部８２を連結する引手取付部５６が、上翼板５１の表面に形成されている。引手取付部５６は２つの部分すなわち取付部本体５６ａと取付部副体５６ｂとから構成されており、上翼板５１の表面であってその左右の幅の中央部においてこれら取付部本体５６ａと取付部副体５ｂとが前後方向に分けた状態で設けられている。図示の例では引手取付部５６は、上翼板５１の表面であって前側（案内柱５３の上方側）に連続する取付部本体５６ａと、上翼板５１の表面であって後側に連続する取付部副体５６ｂとから構成される。
【００５０】
取付部本体５６ａは、上翼板５１の表面へ向かって凹状に湾曲している湾曲体５６ａ１を主たる構成部としている。湾曲体５６ａ１は、その前端部が上下方向に延長すると共にその前端部の下端部が上翼板５１に連続し、それによって上翼板５１に片持ち支持された状態となっている。また取付部本体５６ａと取付部副体５６ｂを連結する前においては、湾曲体５６ａ１の中間部は前方から後方へ向かって延長しながら徐々に上昇するように傾斜している。ちなみに湾曲体５６ａ１の後端部は上翼板５１の表面側へ向かって下降するように上下方向に延長している。
【００５１】
いっぽう取付部副体５６ｂは、平面視してコの字状であって上翼板５１の表面から上向きに突出している。つまり取付部副体５６ｂは中片５６ｂ１と、中片５６ｂ１の左右両側から屈曲する２つの側片５６ｂ２、５６ｂ２とから構成されるものとなっている。但し中片５６ｂ１の上方への突出具合は、連結前における取付部本体５６ａの後端部よりも下方までしか突出しておらず、取付部本体５６ａの後端部と取付部副体５６ｂとの間には環状部８２を通すための隙間があるものとなっている。また中片５６ｂ１の上端部には後方へ向かって突出する被係合凸部５６ｂ３を有している。因みにこの被係合凸部５６ｂ３に対してその下側に噛み合う係合凸部５６ａ２が湾曲体５６ａ１の後端部の下端部から前方へ突出して設けられており、この係合凸部５６ａ２を含むスライダー本体５は、合成樹脂によって成形されることが望ましい。
【００５２】
このようなスライダー本体５と引手８とを連結する場合には、環状部８２を湾曲体５６ａ１に通してから合成樹脂の弾性を利用して取付部本体５６ａの後端部を取付部副体５６ｂへ押し込み、係合凸部５６ａ２を被係合凸部５６ｂ３の下側に噛み合わせる。それによって環状部８２が引手取付部５６に対して取り付けられた状態となり、引手８がスライダー本体４に対して回転自在に連結される。
【００５３】
因みに上記した各種の実施形態において、スライダー本体５及び装飾体６は、金属、合成樹脂の何れで一体成形されたものであっても良い。例えば、合成樹脂の場合は、エンジニアリングプラスチックでも良いし、汎用プラスチックでも良い。より環境に配慮したものとするには、汎用プラスチックとすることが望ましい。
【００５４】
本考案は上記実施形態に限定されるものではない。例えばスライダー本体５を単独の構成要素とする第１から第３実施形態のようなスライダー４の場合において、スライダー本体５の外面に模様や色彩を付したものとしても良い。
【００５５】
また、左右のエレメント列２Ａ、２Ａは、前記実施形態では１本のファスナーチェーン２から構成してあったが、これに限らず、二本のファスナーチェーンを引き揃えることによって形成するものであっても良い。
【００５６】
その他に、スライダー本体５や装飾体６（装飾体本体部６１）の意匠は、前記実施形態のような矩形状、ハート形状、リボン結び形状に限らず、それ以外の形状であっても良いことは勿論であり、さらに文字、模様、色彩を付しても良い。
【００５７】
なお、連結部７は、スナップ式に嵌合するタイプや、硬度の異なる樹脂を用いるタイプに限らずその他の連結方式（例えば、カメラのレンズの装着に用いられることの多いバヨネット式等）を用いるものであっても良い。
【符号の説明】
【００５８】
１紐ファスナー
２ファスナーチェーン
２Ａエレメント列
２１芯紐
２２エレメント
２２ａ固定部
２２ｂ噛合頭部
３止具
４スライダー
５スライダー本体
５１上翼板
５１ａ窪み部
５１ｂ先鋭部
５２下翼板
５３案内柱
５４フランジ
５５案内路
５６引手取付部
５６ａ取付部本体
５６ａ１湾曲体
５６ａ２係合凸部
５６ｂ取付部副体
５６ｂ１中片
５６ｂ２側片
５６ｂ３被係合凸部
６装飾体
６１装飾体本体部
６１ａ第１の模様
６１ｂ第２の模様
６１ｃ文字
７連結部
７１連結凹部
７１ａ係止凹部
７１ｂストッパー部
７１ｃ面取部
７２連結凸部
７２ａ腕部
７２ｂ係止凸部
８引手
８１引手本体
８２環状部
【図１】
0003183577.tif 000003
【図２】
0003183577.tif 000004
【図３】
0003183577.tif 000005
【図４】
0003183577.tif 000006
【図５】
0003183577.tif 000007
【図６】
0003183577.tif 000008
【図７】
0003183577.tif 000009
【図８】
0003183577.tif 000010
【図９】
0003183577.tif 000011
【図１０】
0003183577.tif 000012
【図１１】
0003183577.tif 000013
【図１２】
0003183577.tif 000014
【図１３】
0003183577.tif 000015